(57)【要約】  本発明は、データフォーマットの選択に介在する少なくとも一つの所定のパラメータの少なくとも一つの更新情報を含む信号を基地局が端末に送るセルラ通信ネットワークにおいて、端末と基地局との間の上り方向の通信に対してデータフォーマットの選択手順（Ｅ−ＴＦＣ）を最適化する方法に関する。本発明による方法は、さらに、基地局から伝送される信号の検出に必要な時間を最適化することからなるステップを含む。
2007142117.tif 000002
【特許請求の範囲】
【請求項１】
セルラ通信ネットワークの端末と基地局との間で上り方向の伝送に対してデータフォーマットの選択手順（Ｅ−ＴＦＣ）を最適化する方法であって、基地局は、上り方向の伝送に先立って、所定数のタイムスロットで少なくとも一つの反復コマンドを含む信号を下り方向の経路で端末に伝送し、前記コマンドが、データフォーマットの選択に介在する少なくとも一つの所定のパラメータを更新するように構成されており、端末は、前記信号を受信すると、コマンドの値を検出し、所定の時間Ｔｌｉｍｉｔを有する時間窓の間に検出された値に応じて前記更新を実行する方法において、
基地局から伝送されるコマンド値を検出するために端末が使用するタイムスロット数を最適化して時間Ｔｌｉｍｉｔ全体を使用するようにし、基地局から伝送される信号検出の信頼性を損なうことなく前記更新を実行するステップを有することを特徴とする方法。
【請求項２】
下り方向の伝送が、Ｅ−ＲＧＣＨチャンネル（Ｅｎｈａｎｃｅｄ  Ｒｅｌａｔｉｖｅ  Ｇｒａｎｔ  Ｃｈａｎｎｅｌ）を介して実行され、上り方向の伝送がＥ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介して実行される、請求項１に記載の方法。
【請求項３】
−前記タイムスロットの終わりと上り方向の伝送の開始とを隔てる時間Ｔｒｇを計算するステップと、
−更新を実行するために利用可能な時間Ｔｌｉｍｉｔを推定するステップと、
−時間Ｔｒｇと時間Ｔｌｉｍｉｔとを比較するステップと、
−時間ＴｒｇがＴｌｉｍｉｔ未満である場合、信号検知専用のタイムスロット数を減らすステップと、
を有することを特徴とする、請求項２に記載の方法。
【請求項４】
時間Ｔｌｉｍｉｔの間の更新パラメータが、
−相対的／絶対的な許可の検出手順と、
−ｓｅｒｖｉｎｇ  ｇｒａｎｔ手順の更新手順と、
−Ｅ−ＴＦＣ制限／選択手順と、
−データ暗号化手順と、
−データのターボ符号化手順の、少なくとも一つに関する、請求項１に記載の方法。
【請求項５】
通信ネットワークがＵＭＴＳネットワークである、請求項１から４のいずれか一項に記載の方法。
【請求項６】
セルラ通信ネットワークの基地局を介したデータパケットの送信／受信用の端末であって、基地局は、上り方向の伝送に先立って、所定数のタイムスロットで少なくとも一つの反復コマンドを含む信号を端末に伝送し、前記コマンドが、データフォーマットの選択に介在する少なくとも一つの所定のパラメータを更新するように構成されており、端末は、前記信号を受信すると、基地局から伝送されたコマンド値を検出し、所定の時間Ｔｌｉｍｉｔを有する時間窓の間に検出された方法に応じて前記更新を実行する端末において、
基地局から伝送されるコマンド値を検出するために使用されるタイムスロット数を最適化して、時間Ｔｌｉｍｉｔ全体を使用するようにし、基地局から伝送される信号検出の信頼性を損なうことなく前記更新を実行する手段を有することを特徴とする端末。
【請求項７】
−前記タイムスロットの終わりと、上り方向の伝送の開始とを隔てる時間Ｔｒｇを計算する手段と、
−更新を実行するために利用可能な時間Ｔｌｉｍｉｔを推定する手段と、
−時間Ｔｒｇと時間Ｔｌｉｍｉｔとを比較する手段と、
−時間ＴｒｇがＴｌｉｍｉｔ未満である場合、信号検知専用のタイムスロット数を減らす手段と、
を有することを特徴とする、請求項６に記載の端末。
【請求項８】
移動端末が時間Ｔｌｉｍｉｔの総数を使用できるように、基地局から伝送されるコマンド値の検出専用の時間スロット数を最適化するソフトウェアモジュールを有することを特徴とする、請求項７に記載の端末。
【発明の詳細な説明】
【技術分野】
【０００１】
本発明は、セルラ通信ネットワークの端末と基地局との間で上り方向の通信に対してデータフォーマットの選択手順（Ｅ−ＴＦＣ）を最適化する方法に関し、この方法では、基地局が、上り方向の通信に先立って、所定数のタイムスロットで少なくとも一つの反復コマンドを含む信号を端末に伝送し、前記コマンドが、データフォーマットの選択に介在する少なくとも一つの所定のパラメータを更新するように構成されており、端末は、下り方向の経路で前記信号を受信すると、基地局から伝送される情報を検出し、所定の時間Ｔｌｉｍｉｔを有する時間窓の間に、検出された値に応じて前記更新を実行する。
本発明は、また、この方法を実施するように構成された移動端末に関する。
【背景技術】
【０００２】
第三世代以降の移動端末は、同じセッションでデータ、音声、映像の伝送を組み合わせる高ビットレート通信で使用することが、ますます多くなっている。ビットレート需要の増大に対応するために、３ＧＰＰ標準化グループ（Ｔｈｉｒｄ  Ｇｅｎｅｒａｔｉｏｎ  Ｐａｒｔｎｅｒｓｈｉｐ  Ｐｒｏｊｅｃｔ：第３世代移動体通信システム標準化プロジェクト）は、下り方向のＷＣＤＭＡ接続の５ＭＨｚの通過帯域で、８〜１０Ｍｂｐｓ（ＭＩＭＯ：Ｍｕｌｔｉｐｌｅ−Ｉｎｐｕｔ  Ｍｕｌｔｉｐｌｅ−Ｏｕｔｐｕｔシステムの場合は２０Ｍｂｐｓ）のビットレートでデータ伝送を可能にする最初のＨＳＤＰＡ（Ｈｉｇｈ  Ｓｐｅｅｄ  Ｄｏｗｎ  ｌｉｎｋ  Ｐａｃｋｅｔ  Ａｃｃｅｓｓ）技術を提案した。【０００３】
インターネットにおける閲覧、電子メール、音楽（ａｕｄｉｏ）および／または映像のダウンロードを含む大部分の用途では、ネットワークから端末へのダウンリンクを通過するデータビットレートが、端末からネットワークへのアップリンクのビットレートを大幅に上回っている。ところで、上り方向のビットレートは、特に、たとえばテレビ電話会議等のリアルタイムの用途では、適切な双方向伝送を確保するように改善することが望ましい。【０００４】
このため、上り方向のビットレートを改善するために３ＧＰＰグループ内で様々な作業が進行中である。これらの作業は、主に、ＨＳＵＰＡ（Ｈｉｇｈ  Ｓｐｅｅｄ  Ｕｐｌｉｎｋ  Ｐａｃｋｅｔ  Ａｃｃｅｓｓ）技術に基づいている。この技術は、上り方向のフローにＨＳＤＰＡタイプの様々な改良を行うためのＷＣＤＭＡ／ＵＭＴＳ／ＨＳＤＰＡネットワークの更新である。
【発明の開示】
【発明が解決しようとする課題】
【０００５】
しかしながら、移動端末にＥ−ＤＣＨチャンネルを設定すると、物理チャンネル構成の多様性に関連する様々な問題に直面する。実際、Ｅ−ＤＣＨチャンネルを介して伝送を行う場合、端末は、予め、移動端末のメーカーが選択する物理チャンネルの構成に応じて、所定の時間Ｔｌｉｍｉｔ中、物理層Ｌ１およびＭＡＣ（Ｍｅｄｉｕｍ  Ａｃｃｅｓｓ  Ｃｏｎｔｒｏｌ）層のタスクを実行しなければならない。【０００６】
ある構成では、上り方向の伝送に合わせたデータフォーマットを端末が選択可能にするのに必要なタスク全体を実行するために、時間Ｔｌｉｍｉｔが不十分になる可能性がある。
本発明の目的は、上記の不都合を解消することにある。【０００７】
本発明の別の目的は、データフォーマットの選択に介在する所定のパラメータを更新するための情報検出時間を最適化することにある。【０００８】
従って、本発明の目的は、Ｅ−ＤＣＨチャンネルで上り方向の伝送を実行するのに必要な全てのタスクを実行するために、様々な構成の物理層、特に、値Ｔｌｉｍｉｔの様々なインプリメンテーションに、端末を適合可能にすることにある。
【課題を解決するための手段】
【０００９】
このため、本発明は、セルラ通信ネットワークの端末と基地局との間で上り方向の通信に対してデータフォーマットの選択手順（Ｅ−ＴＦＣ）を最適化する方法を推奨し、この方法では、基地局が、上り方向の伝送に先立って、所定数のタイムスロットで少なくとも一つの反復情報を含む信号を端末に伝送し、前記情報が、データフォーマットの選択に介在する少なくとも一つの所定のパラメータを更新するように構成されており、端末は、前記信号を受信すると、コマンドの値を検出し、所定の時間Ｔｌｉｍｉｔを有する時間窓の間に、検出された値に応じて前記更新を実行する。【００１０】
本発明による方法は、さらに、基地局から伝送されるコマンド値を検出するために端末が使用するタイムスロット数を最適化して時間Ｔｌｉｍｉｔ全体を使用するようにし、それによって、基地局から伝送される信号検出の信頼性を損なうことなく前記更新を実行するステップを含む。【００１１】
本発明による方法の好適な実施形態では、信号の伝送が、Ｅ−ＲＧＣＨ／Ｅ−ＡＧＣＨチャンネル（Ｅｎｈａｎｃｅ  Ｒｅｌａｔｉｖｅ  Ｇｒａｎｔ  ＣｈａｎｎｅｌおよびＥｎｈａｎｃｅｄ  Ａｂｓｏｌｕｔｅ  Ｇｒａｎｔ  Ｃｈａｎｎｅｌ）を介して実行され、上り方向の伝送がＥ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介して実行される。【００１２】
この実施形態において、上記の方法は、
−前記タイムスロットの終わりと上り方向の伝送の開始とを隔てる時間Ｔｒｇを計算するステップと、
−更新を実行するために利用可能な時間Ｔｌｉｍｉｔを推定するステップと、
−時間Ｔｒｇと時間Ｔｌｉｍｉｔとを比較するステップと、
−時間ＴｒｇがＴｌｉｍｉｔ未満である場合、信号検知専用のタイムスロット数を減らすステップとを含む。【００１３】
本発明の特定の実施例では、時間Ｔｌｉｍｉｔの間の更新パラメータが、
−相対的／絶対的な許可の検出（Ｒｅｌａｔｉｖｅ／Ａｂｓｏｌｕｔｅ  ｇｒａｎｔ  ｄｅｔｅｃｔｉｏｎ）手順と、
−「ｓｅｒｖｉｎｇ  ｇｒａｎｔ」手順の更新手順と、
−Ｅ−ＴＦＣ制限／選択手順と、
−暗号化（Ｄａｔａ  ｅｎｃｒｙｐｔｉｏｎ）手順と、
−ターボ符号化（Ｔｕｒｂｏ  ｅｎｃｏｄｉｎｇ）手順の、少なくとも一つに関する。【００１４】
本発明は、また、セルラ通信ネットワークの基地局を介したデータパケットの送信／受信用の端末に関し、基地局は、上り方向の伝送に先立って、所定数のタイムスロットで少なくとも一つの反復コマンドを含む信号を端末に伝送し、前記コマンドが、データフォーマットの選択に介在する少なくとも一つの所定のパラメータを更新するように構成されており、端末は、前記信号を受信すると、基地局から伝送されたコマンドの値を検出し、所定の時間Ｔｌｉｍｉｔを有する時間窓の間に、検出された値に応じて前記更新を実行する。【００１５】
本発明によれば、この端末は、基地局から伝送されるコマンド値を検出するために使用されるタイムスロット数を最適化して、時間Ｔｌｉｍｉｔ全体を使用するようにし、それによって、基地局から伝送される信号検出の信頼性を損なうことなく前記更新を実行する手段を含む。【００１６】
好適には、本発明による端末は、
−前記タイムスロットの終わりと、上り方向の伝送の開始とを隔てる時間Ｔｒｇを計算する手段と、
−更新を実行するために利用可能な時間Ｔｌｉｍｉｔを推定する手段と、
−時間Ｔｒｇと時間Ｔｌｉｍｉｔとを比較する手段と、
−時間ＴｒｇがＴｌｉｍｉｔ未満である場合、信号検知専用のタイムスロット数を減らす手段とを含む。【００１７】
この端末は、さらに、移動端末が時間Ｔｌｉｍｉｔの全体を使用できるように、基地局から伝送されるコマンド値の検出専用の時間スロット数を最適化するためのソフトウェアモジュールを含む。
【発明を実施するための最良の形態】
【００１８】
以下の説明は、ＨＳＵＰＡ（Ｈｉｇｈ  Ｓｐｅｅｄ  Ｕｐｌｉｎｋ  Ｐａｃｋｅｔ  Ａｃｃｅｓｓ）を用いてテレビ電話会議セッションを確立するための、ＵＭＴＳネットワークにおける上記方法の使用に関する。【００１９】
高ビットレートのアップリンクを接続するために、ネットワークの基地局は、端末に、所定数のタイムスロットで複数個の反復コマンドを含む信号を伝送し、このコマンドは、データフォーマットの選択に介在する所定のパラメータを端末が更新できるように構成されている。端末は、信号を受信すると、伝送されたコマンドの値を検出し、検出された値に応じて更新を実行する。この操作は、メーカーが定める時間窓Ｔｌｉｍｉｔの間に実行しなければならない。【００２０】
図１Ａは、下り方向のチャンネルＤＬ−Ｅ−ＲＧＣＨ  ２（Ｄｏｗｎｌｉｎｋ  Ｅｎｈａｎｃｅｄ  Ｒｅｌａｔｉｖｅ  Ｇｒａｎｔ  Ｃｈａｎｎｅｌ）と、上り方向のチャンネルＵＬ−Ｅ−ＤＰＤＣＨ  ４（Ｕｐｌｉｎｋ  Ｅｎｈａｎｃｅｄ  Ｄｅｄｉｃａｔｅｄ  Ｐｈｙｓｉｃａｌ  Ｄａｔａ  Ｃｈａｎｎｅｌ）とを示す時系列表を概略的に示している。【００２１】
下り方向のチャンネルＤＬ−Ｅ−ＲＧＣＨでは、１個の下り方向フレームの１２個のタイムスロット６が、ＵＰ、ＤＯＷＮまたはＨＯＬＤコマンドの一つを送る。このコマンドにより、端末は、いわゆる相対的／絶対的な許可（Ｒｅｌａｔｉｖｅ／Ａｂｓｏｌｕｔｅ  ｇｒａｎｔ検出）手順に介在するパラメータ、たとえばアップリンクで伝送されるＥ−ＤＣＨブロックの寸法の選択に介在する以下の比率を更新することができる。
【数１】
2007142117.tif 000003
ここで、βｄは、各ＤＰＤＣＨチャンネルの利得係数を示し、βｃは、各ＤＰＣＣＨチャンネルの利得係数を示す。【００２２】
ＵＬ−Ｅ−ＤＰＤＣＨチャンネルでは、コマンドＵＰ、ＤＯＷＮまたはＨＯＬＤの一つを検出後、端末から基地局に送信されるデータを含むＥ−ＤＣＨ  ＴＴＩ（Ｅｎｈａｎｃｅｄ  Ｄｅｄｉｃａｔｅｄ  Ｃｈａｎｎｅｌ−Ｔｒａｎｓｍｉｓｓｉｏｎ  Ｔｉｍｅ  Ｉｎｔｅｒｖａｌ）ブロック８が伝送される。前記コマンドにより、端末は、上記ブロックＥ−ＤＣＨ  ＴＴＩに対して、アップリンクで伝送すべきデータに適合される寸法を選択することができる。
図１Ａは、間隔ＴＴＩの持続時間が１０ｍｓである場合を示し、図１Ｂ、１Ｃは、間隔ＴＴＩの持続時間が２ｍｓである場合を示す。【００２３】
１２番目のタイムスロット６と、最初のＴＴＩとを隔てる時間Ｔｒｇは、ＤＬ−Ｅ−ＲＧＣＨチャンネルの受信の終わりと、ＵＬ−Ｅ−ＤＰＤＣＨチャンネルの上り方向の伝送の開始との間で利用可能な時間窓を示す。【００２４】
Ｔｌｉｍｉｔは、ＵＬ−Ｅ−ＤＰＤＣＨチャンネルを介した上り方向の伝送を実行するために、端末が、Ｌ１層およびＭＡＣ層（Ｍｅｄｉｕｍ  Ａｃｃｅｓｓ  Ｃｏｎｔｒｏｌ）の全ての操作を実行するのに必要な時間を示す。【００２５】
時間Ｔｌｉｍｉｔは、端末のメーカーが選択するハードウェアおよびソフトウェアの構成に依存し、その場合、Ｌ１層およびＭＡＣ層の操作の実行の際は、この制約を考慮しなければならない。【００２６】
図１Ａから１Ｃが示す例では、Ｌ１層およびＭＡＣ層の操作が、特に、相対的／絶対的な許可の検知（Ｒｅｌａｔｉｖｅ／Ａｂｓｏｌｕｔｅ  ｇｒａｎｔ  ｄｅｔｅｃｔｉｏｎ）と、「ｓｅｒｖｉｎｇ  ｇｒａｎｔ」手順の更新と、Ｅ−ＴＦＣ制限／選択手順と、データ暗号化（Ｄａｔａ  ｅｎｃｒｙｐｔｉｏｎ）と、ターボ符号化（Ｔｕｒｂｏ  ｅｎｃｏｄｉｎｇ）とを含む。【００２７】
図２を参照すると、ステップ１０は、時間Ｔｒｇを計算することからなり、ステップ１２は、利用可能な時間Ｔｌｉｍｉｔを推定することからなり、ステップ１４は、時間Ｔｒｇと時間Ｔｌｉｍｉｔとを比較することからなる。【００２８】
時間窓ＴｒｇおよびＴｌｉｍｉｔの持続時間は、３ＧＰＰグループの技術仕様書ＴＳ２５．１１３で規定されているような基本時間単位（ｃｈｉｐｓ：チップ）の数で表される。【００２９】
いわゆる「Ｒｅｌａｔｉｖｅ  Ｇｒａｎｔ  ｄｅｃｏｄｉｎｇ」手順の場合、ＴＴＩが１０ｍｓの時（すなわち１０個のタイムスロットを含む時）、
【数２】
2007142117.tif 000004
すなわち
【数３】
2007142117.tif 000005
ＴＴＩが２ｍｓの時（すなわち３個のタイムスロットを含む時）、
【数４】
2007142117.tif 000006
すなわち
【数５】
2007142117.tif 000007
ここで、
−τＥ−ＨＩＣＨ、ｎは、Ｐ−ＣＣＰＣＨチャンネルに関するＥ−ＨＩＣＨチャンネルの時間のずれ（単位：チップ）を示す。この値は、ＴＴＩが２ｍｓの時と１０ｍｓの時とでは同じではない。
−τＥ−ＲＧＣＨ、ｎは、Ｐ−ＣＣＰＣＨチャンネルに関するＥ−ＨＩＣＨチャンネルの時間のずれ（単位：チップ）を示す。この値は、ＴＴＩが２ｍｓの時と１０ｍｓの時とでは同じではない。
−τＤＰＣＨ、ｎは、Ｐ−ＣＣＰＣＨフレームのずれを起点とする時間のずれを示す。この値は、２５６チップの倍数である。【００３０】
所定のＨＡＲＱ（Ｈｙｂｒｉｄ  Ａｃｋｎｏｗｌｅｄｍｅｎｔ  Ｒｅｑｕｅｓｔ）手順に対して端末がＭＡＣ／Ｌ１層のタスクを実行するのに必要な時間Ｔｌｉｍｉｔは、搬送ブロックの最初の伝送と、再送との間で変化する。実際、Ｅ−ＴＦＣ制限／選択手順は、再送の場合は必要ではない。従って、ステップ１２で、端末は、ＨＡＲＱ手順の状態（最初の伝送か再送か）を確認し、適切なＴｌｉｍｉｔ値を選択する。【００３１】
ＴｒｇがＴｌｉｍｉｔ未満である場合（矢印１６）、次のステップ１８は、信号を搬送するタイムスロット２の数を減らすことからなり、ステップ２０は、残りのタイムスロット数で信号の検出を行うことからなる。【００３２】
ＴｒｇがＴｌｉｍｉｔ未満の場合は、端末がＭＡＣ／Ｌ１層の全てのステップを実行することができない重大な状況を構成する。この場合、下り方向の経路で伝送されるコマンド値の検出の実行に用いられるタイムスロット数は、
−Ｔｒｇに中間値Ｖｒｇを割り当てる手順と、
−ＴＴＩが１０ｍｓの場合は１２個（ＴＴＩが２ｍｓの場合は３個）にタイムスロット数を初期化する手順と、
−ＴｒｇがＴｌｉｍｉｔ未満である限り、この値を２５６０チップだけ減らす手順と、
−タイムスロット数をデクリメントする手順と、に従って低減される。【００３３】
図１Ａに示したように、時間Ｔｒｇは時間Ｔｌｉｍｉｔ未満であり、端末は、物理層Ｌ１とＭＡＣ層との処理を行うのに十分な時間を持たない。この場合、端末は、１２個ではなく５個のタイムスロット６だけを含むタイムスロット群３０を使用することによって、基地局が伝送するコマンド値を検出する。【００３４】
同様に、図１Ｂに示された事例では、時間Ｔｒｇは時間Ｔｌｉｍｉｔ未満であり、端末は、物理層Ｌ１とＭＡＣ層との処理を行うのに十分な時間を持たない。この場合、端末は、３個ではなく２個のタイムスロットだけを含むタイムスロット群３２を使用することによって、基地局が伝送するコマンド値を検出する。図１Ｃに示された事例は、最初の失敗後のＵＬ−Ｅ−ＤＰＤＣＨチャンネルの再送に対応する。【００３５】
この状況では、Ｅ−ＴＦＣフォーマットの選択手順は再び実行されない。その場合、この手順の実行に割り当てられる時間は、Ｔｌｉｍｉｔから導かれる。その結果、ＴｌｉｍｉｔはＴｒｇ未満であり、この場合、端末は、物理層Ｌ１とＭＡＣ層との処理を行うのに十分な時間を有する。そこで、端末は、信号を搬送するＴＴＩを構成する３個のタイムスロット全体を使用する。【００３６】
「Ｒｅｌａｔｉｖｅ  Ｇｒａｎｔ  ｄｅｔｅｃｔｉｏｎ」手順の実施を示す図３を参照すると、ＤＬ−Ｅ−ＲＧＣＨチャンネルの各タイムスロットＣｉの内容は、署名Ｓｉにより乗じられ、これらの乗算の結果が加算される。その後、得られた和の平均値を出して、基地局が伝送する信号のＵＰ、ＤＯＷＮまたはＨＯＬＤ値を検出する。【００３７】
図３Ａから分かるように、検出を行うために１２個のタイムスロットが用いられ、一方で図３Ｂに示した事例では６個のタイムスロットだけが使用されている。【００３８】
本発明の特定の実施形態では、下り方向の経路で伝送されるコマンド値を検出するために２個の閾値を定義し、第一の閾値ＲＧ＿ＵＰ＿ＴＨは、ＵＰの値に対応し、第二の閾値ＲＧ＿ＤＯＷＮ＿ＴＨは、ＤＯＷＮの値に対応する。【００３９】
この実施形態の特徴によれば、定義された閾値ＲＧ＿ＵＰ＿ＴＨおよびＲＧ＿ＤＯＷＮ＿ＴＨは、検出の信頼性を改善するために適合させることができる。【００４０】
図４は、下り方向の経路で端末に伝送されるコマンド値の検出の信頼性に対して、定義された閾値の修正が及ぼす影響を示すグラフである。
図４の左側の部分「Ｇ」は、検出を行うためにＤＬ−Ｅ−ＲＧＣＨチャンネルの１２個のタイムスロットを使用している事例を示す。
図４の右側の部分「Ｄ」は、検出を行うためにＤＬ−Ｅ−ＲＧＣＨチャンネルの１２個のタイムスロットの中から（１２−Ｘ）個のタイムスロットだけを使用している事例を示す。Ｘは１２以下の整数である。【００４１】
後者の場合、閾値ＲＧ＿ＵＰ＿ＴＨは、Δｕｐの値だけ増加し、閾値ＲＧ＿ＤＯＷＮ＿ＴＨは、Δｄｏｗｎの値だけ減少している。その場合、新たな検出閾値は、それぞれＲＧ＿ＵＰ＿ＴＨ＋Ｘ．ΔｕｐおよびＲＧ＿ＤＯＷＮ＿ＴＨ−Ｘ．Δｄｏｗｎである。【００４２】
閾値を適合させる前の、セグメントで示された値ＵＰの検出確率は、閾値を適合させた後の値ＵＰの検出確率より高い。その結果、閾値が大きくなれば、誤ったＵＰまたはＤＯＷＮコマンド値を検出する確率が低くなる。【００４３】
ΔｕｐおよびΔｄｏｗｎの値は、検出を行わない場合の適切な確率を保持しながら、ＵＰ値またはＤＯＷＮ値の検出確率を下げるように選択される。換言すれば、閾値の適合は、ＵＰ値またはＤＯＷＮ値の誤った検出よりもＨＯＬＤ値の誤った検出を優先させる。この結果、信号値に疑念がある場合、端末は、ＵＬ−Ｅ−ＤＰＤＣＨチャンネルで上り方向の伝送に必要なパラメータの更新を行わない。【００４４】
以上、実施例を参照して本願発明を説明したが、本願発明は上記実施例に限定されるものではない。本願発明の構成や詳細には、本願発明のスコープ内で当業者が理解し得る様々な変更をすることができる。【００４５】
この出願は、２００６年５月３１日に出願されたフランス共和国出願番号０６５１９８０を基礎とする優先権を主張し、その開示の全てをここに取り込む。
【図面の簡単な説明】
【００４６】
【図１】図１Ａ〜Ｃは、上り方向および下り方向の伝送でそれぞれ使用されるタイムスロットの時系列図と、この二つの伝送の間に利用可能な時間窓とを概略的に示す図である。
【図２】本発明による方法の主要ステップを示すフローチャートである。
【図３】図３Ａ，Ｂは、本発明による方法を使用しない場合と、使用した場合とで、それぞれ下り方向の経路のタイムスロットの処理を示す図である。
【図４】下り方向の経路でネットワークから端末に伝送される情報の検出閾値を適合させた場合の影響を示すグラフである。
【図１】
2007142117.tif 000008
【図２】
2007142117.tif 000009
【図３】
2007142117.tif 000010
【図４】
2007142117.tif 000011
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
端末と基地局との間で上り方向の伝送に対してデータフォーマットの選択手順（Ｅ−ＴＦＣ）を最適化する方法であって、基地局は、所定数のタイムスロットで少なくとも一つの反復コマンドを含む信号を端末に伝送し、前記コマンドは、データフォーマットの選択に介在する少なくとも一つの所定のパラメータを更新するように構成されており、端末は、前記信号を受信した場合に、コマンド値を検出し、所定の時間Ｔｌｉｍｉｔを有する時間窓の間に検出した値に応じて前記更新を実行する方法において、
基地局から伝送されるコマンド値を検出するために端末が使用するタイムスロット数を最適化して時間Ｔｌｉｍｉｔ全体を使用し、前記更新を実行するステップを有することを特徴とする方法。
【請求項２】
前記反復コマンドを含む信号の伝送は、Ｅ−ＲＧＣＨ（Ｅｎｈａｎｃｅｄ  Ｒｅｌａｔｉｖｅ  Ｇｒａｎｔ  Ｃｈａｎｎｅｌ）を介して実行し、上り方向の伝送は、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介して実行することを特徴とする、請求項１に記載の方法。
【請求項３】
−前記タイムスロットの終わりと上り方向の伝送の開始とを隔てる時間Ｔｒｇを計算するステップと、
−更新を実行するために利用可能な時間Ｔｌｉｍｉｔを推定するステップと、
−時間Ｔｒｇと時間Ｔｌｉｍｉｔとを比較するステップと、
−時間ＴｒｇがＴｌｉｍｉｔ未満である場合、信号検知専用のタイムスロット数を減らすステップと、
を有することを特徴とする、請求項１に記載の方法。
【請求項４】
時間Ｔｌｉｍｉｔの間の更新パラメータが、
−相対的／絶対的な許可の検出手順と、
−ｓｅｒｖｉｎｇ  ｇｒａｎｔ手順の更新手順と、
−Ｅ−ＴＦＣ制限／選択手順と、
−データ暗号化手順と、
−データのターボ符号化手順と、の、少なくとも一つに関することを特徴とする、請求項１に記載の方法。
【請求項５】
端末と基地局との間の通信ネットワークがＵＭＴＳネットワークであることを特徴とする、請求項１から４のいずれか一項に記載の方法。
【請求項６】
データフォーマットの選択に介在する少なくとも一つの所定のパラメータを更新するように構成された反復コマンドを含む信号を受信した場合に、コマンド値を検出し、所定の時間Ｔｌｉｍｉｔを有する時間窓の間に検出した値に応じて前記更新を実行する手段と、
前記コマンド値を検出するために使用するタイムスロット数を最適化して、時間Ｔｌｉｍｉｔ全体を使用し、前記更新を実行する手段と、を有することを特徴とする端末。
【請求項７】
−前記タイムスロットの終わりと上り方向の伝送の開始とを隔てる時間Ｔｒｇを計算する手段と、
−更新を実行するために利用可能な時間Ｔｌｉｍｉｔを推定する手段と、
−時間Ｔｒｇと時間Ｔｌｉｍｉｔとを比較する手段と、
−時間ＴｒｇがＴｌｉｍｉｔ未満である場合、信号検知専用のタイムスロット数を減らす手段と、
を有することを特徴とする、請求項６に記載の端末。
【請求項８】
前記コマンド値の検出専用の時間スロット数を最適化することを特徴とする、請求項６に記載の端末。
【請求項９】
データフォーマットの選択に介在する少なくとも一つの所定のパラメータを更新するように構成された反復コマンドを含む信号を受信した場合に、コマンド値を検出し、所定の時間Ｔｌｉｍｉｔを有する時間窓の間に検出した値に応じて前記更新を実行する工程と、
前記コマンド値を検出するために使用するタイムスロット数を最適化して、時間Ｔｌｉｍｉｔ全体を使用し、前記更新を実行する工程と、を有することを特徴とする方法。
【請求項１０】
データフォーマットの選択に介在する少なくとも一つの所定のパラメータを更新するように構成された反復コマンドを含む信号を受信した場合に、コマンド値を検出し、所定の時間Ｔｌｉｍｉｔを有する時間窓の間に検出した値に応じて前記更新を実行する処理と、
前記コマンド値を検出するために使用するタイムスロット数を最適化して、時間Ｔｌｉｍｉｔ全体を使用し、前記更新を実行する処理と、を、コンピュータに実行させることを特徴とするプログラム。
【国際調査報告】
2007142117.tif 000012
2007142117.tif 000013